(57)【特許請求の範囲】
【請求項１】
第１の外部機器が接続される同軸ポートと、第２の外部機器が接続される少なくとも１つの外部接続ポートとを備えた被試験装置の、前記同軸ポートと前記外部接続ポートとの間の雷サージ試験をするための雷サージ試験装置であって、
第１の端子と第２の端子との間に雷サージを発生させる雷サージ発生器と、
前記雷サージ発生器の第１の端子と前記同軸ポートとの間に接続され、前記同軸ポートを前記第１の外部機器に対応して終端すると共に、前記雷サージを同軸ケーブルの外部導体を介して前記同軸ポートに印加する同軸ポート用回路と、
前記外部接続ポートと前記雷サージ発生器の第２の端子との間に接続され、前記雷サージの印加先を前記外部接続ポートに限定する結合回路を有する外部接続ポート用回路と
を具備し、
前記雷サージ発生器から発生された雷サージを、前記同軸ポート用回路および前記外部接続ポート用回路を介して前記同軸ポートと前記外部接続ポートとの間に印加することを特徴とする雷サージ試験装置。
【請求項２】
前記被試験装置が複数の外部接続ポートを備える場合に、
前記複数の外部接続ポートの各々に接続される複数の外部接続ポート用回路と前記雷サージ発生器の第２の端子との間に配置され、前記複数の外部接続ポート用回路と前記雷サージ発生器の第２の端子との間を択一的に接続する切替器を、さらに具備することを特徴とする請求項１に記載の雷サージ試験装置。
【請求項３】
前記雷サージ発生器は、
予め異なる波形に設定された複数種類の雷サージの中から、前記複数の外部接続ポートのうち試験対象となる外部接続ポートに対応する雷サージを選択的に発生する手段と、
前記雷サージの選択動作と連動して、前記試験対象となる外部接続ポートを前記雷サージ発生器の第２の端子に接続させるべく前記切替器を切替制御する手段と
を備えることを特徴とする請求項２記載の雷サージ試験装置。
【請求項４】
前記同軸ポート用回路は、前記同軸ポートを終端するための抵抗値を可変設定する手段を、さらに備えることを特徴とする請求項１乃至３のいずれかに記載の雷サージ試験装置。
【請求項５】
前記雷サージ発生器は、前記同軸ポート用回路および前記外部接続ポート用回路に対する前記第１の端子および第２の端子の接続を交互に切り替える回路を、さらに備えることを特徴とする請求項１乃至４のいずれかに記載の雷サージ試験装置。
【請求項６】
第１の外部機器が接続される同軸ポートと、少なくとも１つの外部接続ポートとを備えた被試験装置の、前記同軸ポートと前記外部接続ポートとの間の雷サージ試験をするための雷サージ試験装置であって、
第１の端子と第２の端子との間に雷サージを発生させる雷サージ発生器と、
前記雷サージ発生器の第１の端子と前記同軸ポートとの間に接続され、前記同軸ポートを前記第１の外部機器に対応して終端すると共に、前記雷サージを同軸ケーブルの外部導体を介して前記同軸ポートに印加する同軸ポート用回路と
を具備し、
前記外部接続ポートは接地ポートであり、前記雷サージ発生器の第２の端子と前記接地ポートとが接続され、
前記雷サージ発生器から発生された雷サージを、前記同軸ポート用回路を介して前記同軸ポートと前記接地ポートとの間に印加することを特徴とする雷サージ試験装置。
【請求項７】
請求項１乃至６のいずれかに記載の雷サージ試験装置で使用される同軸ポート用回路であって、
前記同軸ポートに接続される第１の同軸ケーブルと、
前記第１の外部機器に接続される第２の同軸ケーブルと、
前記第１の同軸ケーブルの外部導体に設けられ、前記雷サージ発生器により発生される雷サージを印加するための印加端子と、
前記第１の同軸ケーブルの中心導体と前記外部導体との間を、前記第１の外部機器に対応して終端する終端手段と、
前記雷サージの印加期間には前記第１の同軸ケーブルと前記第２の同軸ケーブルとの間を切り離し、前記雷サージの印加終了後に前記第１の同軸ケーブルを前記第２の同軸ケーブルに接続する第１の切替手段と
を具備することを特徴とする同軸ポート用回路。
【請求項８】
前記第１の同軸ケーブルを前記第２の同軸ケーブルに接続する際に、前記雷サージ発生器との接続を切り離す第２の切替手段、
をさらに具備することを特徴とする請求項７に記載の同軸ポート用回路。
【発明の詳細な説明】
【技術分野】
【０００１】
この発明は、同軸ポートを含む複数のポートを備えた被試験装置に対して、上記複数のポート間の雷サージ試験をするための雷サージ試験装置とその同軸結合回路に関する。
【背景技術】
【０００２】
近年、インターネット技術の普及に伴い、インターネットを介した音声通話サービスおよび映像配信サービスなどを提供することが可能となっている。係るサービスの利用には、例えば、回線終端装置の機能およびブロードバンドルータの機能などが統合された、ホームゲートウェイ等の宅内通信機器を用いる場合が多い。その場合に、係る宅内通信機器は、テレビジョン用の同軸ポート、音声通話用のアナログ電話ポート、インターネット用のＥｔｈｅｒｎｅｔ（登録商標）ポート、および電源ポートなどの複数のポートを備えている。
【先行技術文献】
【特許文献】
【０００３】
【特許文献１】特開平９−５１９９３４号公報
【発明の概要】
【発明が解決しようとする課題】
【０００４】
上記の各ポートに対する過電圧耐力（これは電流を含む）を試験する規格がITU-Tなどの国際規格で取り決められている。具体的には、ITU-T勧告K.44において、上記試験における雷サージ試験方法が規定されており、アナログ電話ポート、Ｅｔｈｅｒｎｅｔポート、および電源ポートについては、各ポートに要求すべき過電圧耐力が決められている。
【０００５】
しかしながら、内線としての同軸ポートおよび他ポートの間の雷サージ試験をするための方法は、ITU-Tなどの国際規格についても未だ明確な規定がなされていない。そのため、同軸ポートの過電圧耐力が適切に確保されていない場合が想定される。
【０００６】
この発明は上記事情に着目してなされたもので、その目的とするところは、同軸ポートを含む複数のポートを備えた被試験装置に対して、同軸ポートと他のポートとの間の雷サージ試験を行えるようにした雷サージ試験装置とその同軸ポート用回路を提供することにある。
【課題を解決するための手段】
【０００７】
上記目的を達成するためにこの発明の第１の態様は、第１の外部機器が接続される同軸ポートと、第２の外部機器が接続される少なくとも１つの外部接続ポートとを備えた被試験装置の、当該同軸ポートと当該外部接続ポートとの間の雷サージ試験をするために、第１の端子と第２の端子との間に雷サージを発生させる雷サージ発生器と、当該雷サージ発生器の第１の端子と当該同軸ポートとの間に接続され、当該同軸ポートを当該第１の外部機器に対応して終端すると共に、当該雷サージを同軸ケーブルの外部導体を介して当該同軸ポートに印加する同軸ポート用回路と、当該外部接続ポートと当該雷サージ発生器の第２の端子との間に接続され、当該雷サージの印加先を当該外部接続ポートに限定する結合回路を有する外部接続ポート用回路とを備え、当該雷サージ発生器から発生された雷サージを、当該同軸ポート用回路および当該外部接続ポート用回路を介して当該同軸ポートと当該外部接続ポートとの間に印加するようにした雷サージ試験装置を構成するものである。
【０００８】
この発明の第２の態様は、上記被試験装置が複数の外部接続ポートを備える場合に、当該複数の外部接続ポートの各々に接続される複数の外部接続ポート用回路と上記雷サージ発生器の第２の端子との間に配置され、当該複数の外部接続ポート用回路と上記雷サージ発生器の第２の端子との間を択一的に接続する切替器を、さらに備えるようにしたものである。
【０００９】
この発明の第３の態様は、上記第２の態様において、雷サージ発生器が、予め異なる波形に設定された複数種類の雷サージの中から、上記複数の外部接続ポートのうち試験対象となる外部接続ポートに対応する雷サージを選択的に発生する手段と、上記雷サージの選択動作と連動して、上記試験対象となる外部接続ポートを上記雷サージ発生器の第２の端子に接続させるべく上記切替器を切替制御する手段とを備えるようにしたものである。
【００１０】
この発明の第４の態様は、上記同軸ポート用回路が、上記同軸ポートを終端するための抵抗値を可変設定する手段をさらに備えるようにしたものである。
【００１１】
この発明の第５の態様は、上記雷サージ発生器が、上記同軸ポート用回路および上記外部接続ポート用回路に対する上記第１の端子および第２の端子の接続を交互に切り換える回路をさらに備えるようにしたものである。
この発明の第６の態様は、第１の外部機器が接続される同軸ポートと、少なくとも１つの外部接続ポートとを備えた被試験装置の、当該同軸ポートと当該外部接続ポートとの間の雷サージ試験をするために、第１の端子と第２の端子との間に雷サージを発生させる雷サージ発生器と、当該雷サージ発生器の第１の端子と当該同軸ポートとの間に接続され、当該同軸ポートを当該第１の外部機器に対応して終端すると共に、当該雷サージを同軸ケーブルの外部導体を介して当該同軸ポートに印加する同軸ポート用回路とを備え、当該外部接続ポートは接地ポートであり、当該雷サージ発生器の第２の端子と当該接地ポートとが接続され、当該雷サージ発生器から発生された雷サージを、当該同軸ポート用回路を介して当該同軸ポートと当該接地ポートとの間に印加するようにした雷サージ試験装置を構成するものである。
【００１２】
この発明の第７の態様は、上記第１態様乃至第６の態様のいずれかにおいて使用される同軸ポート用回路であって、上記同軸ポートに接続される第１の同軸ケーブルと、上記第１の外部機器に接続される第２の同軸ケーブルと、当該第１の同軸ケーブルの外部導体に設けられる、上記雷サージ発生器により発生される雷サージの印加端子と、当該第１の同軸ケーブルの中心導体と当該外部導体との間を、上記第１の外部機器に対して終端する終端手段と、当該雷サージの印加期間には当該第１の同軸ケーブルと当該第２の同軸ケーブルとの間を切り離し、当該雷サージ印加終了後に当該第１の同軸ケーブルを当該第２の同軸ケーブルに接続する切替手段とを備えるようにした同軸ポート用回路を構成するものである。
【００１３】
この発明の第８の態様は、上記第７の態様における同軸ポート用回路が、第１の同軸ケーブルを第２の同軸ケーブルに接続する際に、上記雷サージ発生器との接続を切り離す回路をさらに備えるようにした同軸ポート用回路を構成するものである。
【発明の効果】
【００１４】
この発明の第１の態様によれば、上記構成の雷サージ試験装置を用いて、被試験装置の同軸ポートと外部接続ポートとの間に雷サージを印加することができる。同軸ポートについては、同軸ポート用回路を介して雷サージを印加することにより、同軸ケーブルを使用する外部機器が接続されている状態と等価な状態で雷サージ試験を行うことができ、また外部接続ポートについては、各外部接続ポート用回路を介して雷サージを印加することにより、それぞれの対向装置に対して雷サージが印加されることなく、同軸ポートとの間の雷サージ試験を行うことができる。即ち、これまで考慮されていなかった、同軸ポートと他の外部接続ポートとの間の雷サージ試験を、的確に行うことができる。従って、被試験装置の同軸ポートと外部接続ポートとの間の雷サージ試験を、実環境に即した試験系で行うことができ、試験環境（例えば、試験を行う人、場所、および装置）に左右されることなく、再現性よく行うことができる。
【００１５】
この発明の第２の態様によれば、被試験装置が複数の外部接続ポートを備える場合に、当該複数の外部接続ポートの各々に接続される複数の外部接続ポート用回路と上記雷サージ発生器の第２の端子との間に配置され、当該複数の外部接続ポート用回路と上記雷サージ発生器の第２の端子との間を択一的に接続する切替器を備える。当該切替器を備えることで、上記複数の外部接続ポート用回路と上記雷サージ発生器の第２の端子との間の接続を毎回つなぎ替える作業が減るため、効率良く雷サージ試験を行うことができる。
【００１６】
この発明の第３の態様によれば、上記第２の態様において、雷サージ発生器が、予め異なる波形に設定された複数種類の雷サージの中から、上記複数の外部接続ポートのうち試験対象となる外部接続ポートに対応する雷サージを選択的に発生する手段と、上記雷サージの選択動作と連動して、上記試験対象となる外部接続ポートを上記雷サージ発生器の第２の端子に接続させるべく上記切替器を切替制御する手段とを備える。従って、上記複数の外部接続ポートと、当該複数の外部接続ポートのそれぞれに対応する複数種類の雷サージとを連動して切り換えることができるため、短時間に効率良くかつ確実に雷サージ試験を行うことができる。
【００１７】
この発明の第４の態様によれば、上記同軸ポート用回路が、上記同軸ポートを終端するための抵抗値を可変設定する手段をさらに備える。従って、被試験装置における様々な種類の同軸ポートに対応して雷サージ試験を行うことができる。
【００１８】
この発明の第５の態様によれば、上記雷サージ発生器が、上記同軸ポート用回路および上記外部接続ポート用回路に対する上記第１の端子および第２の端子の接続を交互に切り換える回路をさらに備える。従って、接続をつなぎ替えることなく、雷サージの印加方向を変更することができる。
この発明の第６の態様によれば、上記構成の雷サージ試験装置を用いて、被試験装置の同軸ポートと接地ポートとの間に雷サージを印加することができる。同軸ポートについては、同軸ポート用回路を介して雷サージを印加することにより、同軸ケーブルを使用する外部機器が接続されている状態と等価な状態で雷サージ試験を行うことができるため、同軸ポートと接地ポートとの間の雷サージ試験を的確に行うことができる。従って、被試験装置の同軸ポートと接地ポートとの間の雷サージ試験を、実環境に即した試験系で行うことができ、試験環境（例えば、試験を行う人、場所、および装置）に左右されることなく、再現性よく行うことができる。
【００１９】
この発明の第７の態様によれば、雷サージ試験装置の同軸ポート用回路であって、上記同軸ポートに接続される第１の同軸ケーブルと、上記第１の外部機器に接続される第２の同軸ケーブルと、当該第１の同軸ケーブルの外部導体に設けられる、上記雷サージ発生器により発生される雷サージを印加するための印加端子と、当該第１の同軸ケーブルの中心導体と当該外部導体との間を、上記第１の外部機器に対して終端する終端手段と、当該雷サージの印加期間には当該第１の同軸ケーブルと当該第２の同軸ケーブルとの間を切り離し、当該雷サージの印加終了後に当該第１の同軸ケーブルを当該第２の同軸ケーブルに接続する第１の切替手段とを備えるようにした同軸結合回路を構成する。この同軸結合回路は、同軸ポートに接続される上記雷サージ発生器および上記第１の外部機器を第１の切替手段によって切り替えることができるため、雷サージ試験を行った後の被試験装置の動作確認が円滑に行えるようになる。
【００２０】
この発明の第８の態様によれば、上記同軸ポート用回路が、第１の同軸ケーブルを第２の同軸ケーブルに接続する際に、上記雷サージ発生器との接続を切り離す第２の切替手段をさらに備える。この第２の切替手段によって、雷サージ発生器との接続が切り離されるため、被試験装置の動作確認を安全に行えるようになる。
【図面の簡単な説明】
【００２１】
【図１】この発明の第１の実施形態に係る同軸ポート用雷サージ試験装置を例示するブロック図。
【図２】図１のアナログ電話ポート用回路を例示する図。
【図３】図１のＥｔｈｅｒｎｅｔポート用回路を例示する図。
【図４】図１の電源ポート用回路を例示する図。
【図５】この発明の第２の実施形態に係る同軸ポート用雷サージ試験装置の同軸ポート用回路を例示する図。
【図６】図５の同軸ポート用回路とは別の同軸ポート用回路を例示する図。
【発明を実施するための形態】
【００２２】
以下、図面を参照してこの発明に関わる実施形態を説明する。  
［第１の実施形態］
（構成）
図１は、この発明の第１の実施形態に係る雷サージ試験装置（以後、試験装置とも称する）および被試験装置１を例示する図である。
【００２３】
被試験装置１は、例えばホームゲートウェイ等の宅内通信機器からなり、同軸ポート１１、アナログ電話ポート１３、Ｅｔｈｅｒｎｅｔポート１５、電源ポート１７、および接地ポート１９を備える。
【００２４】
同軸ポート１１は、第１の同軸ケーブル１２を介してテレビジョン受信機（図示せず）などの第１の外部機器（以後、対向装置７０と称する）が接続されるポートである。アナログ電話ポート１３は、アナログ電話ケーブル１４を介して電話機やＦＡＸなどのアナログ電話機器（以後、対向装置３０と称する）が接続されるポートである。Ｅｔｈｅｒｎｅｔポート１５は、Ｅｔｈｅｒｎｅｔケーブル１６を介してルータなどのネットワーク機器やパーソナルコンピュータなどの通信機器（以後、対向装置４０と称する）が接続されるポートである。電源ポート１７は、電源ケーブル１８を介して被試験装置１へ給電するための商用電源またはアダプタなどの電源装置５０が接続されるポートである。接地ポート１９は、接地線２０を介して接地されるポートである。なお、アナログ電話ポート１３、Ｅｔｈｅｒｎｅｔポート１５、電源ポート１７、および接地ポート１９は、外部接続ポートを構成し、また上記対向装置３０、４０および電源装置５０は第２の外部機器を構成する。
【００２５】
試験装置は、同軸ポート用回路２と、アナログ電話ポート用回路３と、Ｅｔｈｅｒｎｅｔポート用回路４と、電源ポート用回路５と、雷サージ発生器６とを含む。
【００２６】
雷サージ発生器６は、印加端子６１（第１の端子）および帰路端子６２，６３，６４，６５（これらを総称して単に「帰路端子（第２の端子）」ともいう）を備える。雷サージ発生器６は、切替スイッチを有し、この切替スイッチにより複数の帰路端子の接続を試験対象として選択された外部接続ポートに対応して自動で切り替える。
【００２７】
雷サージ発生器６は、波形の異なる複数種類の雷サージを発生する。各雷サージの波形は試験対象の外部接続ポートごとに規定される。例えば、国際規格であるITU-T K.44で規定される10/700μｓ波形と、IEC61000-4-5およびIEEE Std C62.41.2で規定されている8/20μｓ（1.2/50μｓ）のコンビネーション波形と、0.5/100μｓ波形と、10/1000μｓ波形からなる４種類の試験波形を発生する。雷サージ発生器６は、試験対象の外部接続ポートが選択されるごとに、当該選択された外部接続ポートに対応する試験波形を選択的に発生し出力する。
【００２８】
また、雷サージ発生器６は、雷サージの印加方向を自動で切り替えることができる。即ち、雷サージ試験において、順方向の雷サージを印加することに加えて、逆方向の雷サージも印加することができる。ここで順方向とは、被試験装置１に対して同軸ポート１１から雷サージが流入する方向を示す。本実施形態では、順方向の雷サージを印加する場合について説明をする。
【００２９】
同軸ポート用回路２は、上記同軸ポート１１に接続される第１の同軸ケーブル１２と、当該第１の同軸ケーブル１２の中心導体と外部導体との間を接続する終端抵抗２１とを備えている。上記第１の同軸ケーブル１２の外部導体は、雷サージ発生器６の印加端子６１に接続される。
【００３０】
終端抵抗２１は、被試験装置１の同軸ポート１１の特性インピーダンスに従った抵抗値に設定される。例えば、同軸ポート１１にテレビジョン受信機が接続される場合であれば、終端抵抗２１の抵抗値は７５Ωに設定され、また同軸ポートに特性インピーダンスが５０Ωの同軸ケーブルが接続される被試験装置１であれば、終端抵抗は５０Ωに設定される。
【００３１】
また終端抵抗２１は、抵抗値を０Ωとすることで第１の同軸ケーブル１２の外部導体と中心導体とを短絡した場合の試験を実施することができ、抵抗値を十分に大きい値とすることで第１の同軸ケーブル１２の外部導体と中心導体とを絶縁（オープン）にした場合の試験を実施することができる。その際、終端抵抗２１としては、０Ωから絶縁状態に相当する無限大まで任意に可変設定することが可能な可変抵抗器を用いるか、または抵抗値の異なる複数の抵抗器を切替スイッチにより切り替える回路を使用すればよい。
【００３２】
尚、同軸ポート用回路２は、終端抵抗２１を飛び越えて放電することを防ぐために回路全体がモールドされていてもよい。また、同軸ポート用回路２は、第１の同軸ケーブル１２を介さずに、同軸ポート１１に直接接続されてもよい。さらに、同軸ポート用回路２は、抵抗値の異なる複数の終端抵抗２１を切り替えられるスイッチを設けてもよい。
【００３３】
アナログ電話ポート用回路３は、雷サージをアナログ電話ポート１３のみに印加するためのもので、例えば図２に示すように結合回路３１，３２と、減結合回路３３とを備えている。結合回路３１，３２は、例えばサージ保護デバイス（Surge Protective Device；ＳＰＤ）からなり、２線からなるアナログ電話ケーブル１４のそれぞれと雷サージ発生器６との間に接続することで、雷サージがアナログ電話ポート１３のみに印加されるようにする。ＳＰＤは、例えばガス入り放電管（Gas Discharge Tubes；ＧＤＴ）、三極避雷管、金属酸化物バリスタ（Metal Oxide Varister；ＭＯＶ）、およびコンデンサなどによって構成される。
【００３４】
減結合回路３３は、上記２線からなるアナログ電話ケーブル１４と対向装置３０との間に接続されて、対向装置３０への雷サージの侵入を防止する。減結合回路３３に使用される回路は、例えば、インダクタンス、フィルタ、絶縁トランスにより構成される。
【００３５】
Ｅｔｈｅｒｎｅｔポート用回路４は、Ｅｔｈｅｒｎｅｔポート１５に対しＥｔｈｅｒｎｅｔケーブル１６を介して雷サージを印加するためのものであり、例えば図３に示すようにＥｔｈｅｒｎｅｔケーブル１６の芯線１６−１，・・・，１６−ｎ（ただしｎ＝８）と雷サージ発生器６の帰路端子６３との間に個別に接続される抵抗器４１−１，・・・，４１−ｎを備えている。抵抗器４１−１，・・・，４１−ｎ（ただしｎ＝８）としては、例えば抵抗値が１０Ωのものを用いる。ただし、対向装置４０側への雷サージの侵入を防止するために雷サージ印加期間は対向装置４０を取り外し、印加終了後に取り付け動作確認を行っても良い。また、図２同様に対向装置４０の前に絶縁トランス（パルストランス等）の減結合回路を挿入してもよい。
【００３６】
電源ポート用回路５は、雷サージを電源ポート１７のみに印加するためのもので、例えば図４に示すように結合回路５１，５２と、減結合回路５３とを備えている。結合回路５１，５２は、先に述べたアナログ電話ポート用回路３と同様に、例えばサージ保護デバイス（Surge Protective Device；ＳＰＤ）からなり、２線からなる電源ケーブル１８のそれぞれと雷サージ発生器６との間に接続することで、雷サージが電源ポート１７のみに印加されるようにする。ＳＰＤは、例えば金属酸化物バリスタ（Metal Oxide Varister；ＭＯＶ）などによって構成される。
【００３７】
減結合回路５３も、サージ保護デバイス（Surge Protective Device；ＳＰＤ）からなり、上記２線からなる電源ケーブル１８と電源装置５０との間に接続されて、雷サージが電源装置５０に印加されることを防止する。減結合回路５３に使用されるＳＰＤも、先に述べたアナログ電話ポート用回路３と同様に、例えばインダクタンス、フィルタ、絶縁トランスにより構成される。
【００３８】
なお、上記アナログ電話ポート用回路３、Ｅｔｈｅｒｎｅｔポート用回路４、電源ポート用回路５、および雷サージ発生器６の構成自体は、国際規格ITU-T勧告K.44および「通信装置の過電圧耐力に関するテクニカルリクワイヤメント  第２．１版  平成２７年４月１日発行  日本電信電話株式会社（http://www.ntt.co.jp/ontime/img/pdf/oveTR189001ed2.1_20150410J.pdf）」に詳しく記載されている。
【００３９】
また、アナログ電話ポート用回路３、Ｅｔｈｅｒｎｅｔポート用回路４、電源ポート用回路５、および雷サージ発生器６は、上記構成に限らず、様々な構成を用いてもよい。例えば、アナログ電話ポート用回路３は、アナログ電話ケーブル１４のペアケーブルを短絡させることによって１本のアナログ電話ケーブルを用いた回路構成でもよい。これは、Ｅｔｈｅｒｎｅｔケーブル１６および電源ケーブル１８が接続されるＥｔｈｅｒｎｅｔポート用回路４および電源ポート用回路５についても同様である。この場合、対向装置が接続できないため、試験終了後に対向装置を接続し、動作確認を行うことになる。
【００４０】
（動作）
以上のように構成された同軸ポート用雷サージ試験装置は、例えば以下のように動作する。
【００４１】
被試験装置１における同軸ポート１１とアナログ電話ポート１３との間の雷サージ試験を行う場合は、雷サージ発生器６の印加端子６１と同軸ポート１１との間に同軸ポート用回路２を接続し、アナログ電話ポート１３と雷サージ発生器６の帰路端子６２との間にアナログ電話ポート用回路３を接続する。そして、雷サージ発生器６によって雷サージを発生させ、同軸ポート１１およびアナログ電話ポート１３の間に雷サージを印加する。その後、被試験装置１の動作確認を行うことによって、雷サージによる被試験装置１の故障の有無を明らかにすることができる。動作確認は、同軸ポート１１とアナログ電話ポート１３で行う。
【００４２】
被試験装置１における同軸ポート１１とＥｔｈｅｒｎｅｔポート１５との間の雷サージ試験を行う場合は、雷サージ発生器６の印加端子６１と同軸ポート１１との間に同軸ポート用回路２を接続し、Ｅｔｈｅｒｎｅｔポート１５と雷サージ発生器６の帰路端子６３との間にＥｔｈｅｒｎｅｔポート用回路４を接続する。そして、雷サージ発生器６によって雷サージを発生させ、同軸ポート１１およびＥｔｈｅｒｎｅｔポート１５の間に雷サージを印加する。このとき、対向装置４０は取り外されている。その後、Ｅｔｈｅｒｎｅｔポート１５に対向装置４０を接続し、被試験装置１の動作確認を行うことによって、雷サージによる被試験装置１の故障の有無を明らかにすることができる。動作確認は、同軸ポート１１とＥｔｈｅｒｎｅｔポート１５とで行う。
【００４３】
被試験装置１における同軸ポート１１と電源ポート１７との間の雷サージ試験を行う場合は、雷サージ発生器６の印加端子６１と同軸ポート１１との間に同軸ポート用回路２を接続し、電源ポート１７と雷サージ発生器６の帰路端子６４との間に電源ポート用回路５を接続する。そして、雷サージ発生器６によって雷サージを発生させ、同軸ポート１１および電源ポート１７の間に雷サージを印加する。その後、雷サージによる被試験装置１の故障の有無を明らかにすることができる。動作確認は、同軸ポート１１と電源ポート１７とで行う。
【００４４】
被試験装置１における同軸ポート１１と接地ポート１９との間の雷サージ試験を行う場合は、雷サージ発生器６の印加端子６１と同軸ポート１１との間に同軸ポート用回路２を接続し、接地ポート１９と雷サージ発生器６の帰路端子６５との間を接続する。そして、雷サージ発生器６によって雷サージを発生させ、同軸ポート１１と接地ポート１９との間に雷サージを印加する。その後、接地ポート１９を接地し、被試験装置１の動作確認を行うことによって、雷サージによる被試験装置１の故障の有無を明らかにすることができる。
【００４５】
なお、以上述べた各外部接続ポート用回路３，４，５に対する雷サージ発生器６の帰路端子６３の接続は、雷サージ発生器６内に設けられる制御回路の制御の下、同じく雷サージ発生器６内に設けられた切替スイッチを切り替えることで行われる。また、雷サージの印加も、試験対象の外部接続ポート１３，１５，１７に対応して、上記制御回路の制御の下、上記切替スイッチの切替動作と連動して行われる。さらに、雷サージ発生器６は４種類の雷サージ波形を発生する機能を有しており、試験対象の各外部接続ポート１３，１５，１７に対応する雷サージ波形が選択的に発生され印加される。すなわち、試験対象の各外部接続ポート１３，１５，１７，１９に対応する雷サージの印加動作は、雷サージ発生器６の制御の下で自動的に順次行われる。
【００４６】
（効果）
以上詳述したように第１の実施形態では、被試験装置１の同軸ポート１１と被試験装置１の他の各外部接続ポート１３，１５，１７，１９との間の雷サージ試験を実施するために、上記同軸ポート１１および各外部接続ポート１３，１５，１７，１９にそれぞれ同軸ポート用回路２、各外部接続ポート用回路３，４，５を接続し、これらの同軸ポート用回路２、および各外部接続ポート用回路３，４，５を介して雷サージ発生器６から上記被試験装置１に対し雷サージを印加するようにしている。
【００４７】
従って、同軸ポート１１については、同軸ポート用回路２を介して雷サージを印加することにより、テレビジョン受信機等の同軸ケーブルを使用する第１の外部機器が接続されている状態と等価な状態で雷サージ試験を行うことができ、また各外部接続ポート１３，１５，１７，１９については、各外部接続ポート用回路３，４，５を介して雷サージを印加することにより、それぞれ対向装置３０，４０および電源装置５０に対し雷サージが印加されることなく、同軸ポート１１との間の雷サージ試験を行うことができる。すなわち、これまで考慮されていなかった、同軸ポート１１と他の各外部接続ポート１３，１５，１７，１９との間の雷サージ試験を、的確に行うことが可能となる。
【００４８】
また、試験対象の各外部接続ポート１３，１５，１７，１９に対応する雷サージの印加動作が、雷サージ発生器６の制御の下で自動的に順次行われるので、短時間に効率良くかつ確実に試験を行うことができる。
【００４９】
即ち、上記構成によれば、実環境に即した試験系を用いて、被試験装置１に対して雷サージを印加することができる。従って、被試験装置１の同軸ポートおよび他のポートの間の雷サージ試験を、試験環境（例えば、試験を行う人、場所、および装置）に左右されることなく、再現性よく行うことができる。
【００５０】
［第２の実施形態］
（構成）
図５は、この発明の第２の実施形態に係る雷サージ試験装置の同軸ポート用回路７を例示する図である。なお、前記図１と同一部分には同一符号を付して詳しい説明は省略する。
【００５１】
同軸ポート用回路７は、被試験装置１に接続された第１の同軸ケーブル１２の接続先を、雷サージ発生器６および対向装置７０のどちらかに切り換えられるスイッチ７２を有する点で、第１の実施形態に係る同軸ポート用回路２とは異なる。
【００５２】
すなわち、同軸ポート用回路７は、同軸ポート１１に接続される第１の同軸ケーブル１２と、テレビジョン受信機等の対向装置７０に接続される第２の同軸ケーブル７１と、終端抵抗２１と、スイッチ７２とを備えている。スイッチ７２は、第１の同軸ケーブル１２の中心導体および外部導体と、第２の同軸ケーブル７１の中心導体および外部導体との間に設けられ、上記第１の同軸ケーブル１２と第２の同軸ケーブル７１との間の接続をオンオフする。また、第１の同軸ケーブル１２と第２の同軸ケーブル７１との間の接続をオンにする場合、図６に例示されるように雷サージ発生器との接続を切り離すスイッチ７３を備えてもよい。
【００５３】
（動作）
以上のように構成された雷サージ試験装置の同軸ポート用回路７は、例えば以下のように動作する。
【００５４】
雷サージ試験を行う場合は、同軸ポート用回路７は、スイッチ７２を解放させ、対向装置７０へ雷サージが印加されないようにする。一方、雷サージ試験後の被試験装置１の動作確認を行う場合は、同軸ポート用回路７は、スイッチ７２をオンにし、被試験装置１および対向装置７０が接続されるようにする。また、スイッチ７３が追加される場合は、同軸ポート用回路７は、スイッチ７２と連動してスイッチ７３が動作してもよい。例えば、スイッチ７３は、スイッチ７２がオンになった場合に、スイッチをオフにすることによって、雷サージ発生器との接続を切り離す。
【００５５】
（効果）
以上詳述したように第２の実施形態では、同軸ポート用回路７にスイッチ７２を追加することによって、被試験装置１の同軸ポート１１に接続される装置を切り換えることができる。具体的には、雷サージ試験を行う場合は、スイッチ７２を解放させることによって、被試験装置１および雷サージ発生器６が接続される。被試験装置１の動作確認を行う場合は、スイッチ７２をオンにすることによって、被試験装置１と対向装置７０とが接続される。また、スイッチ７３を追加することによって、雷サージ発生器との接続を切り離すことができる。
【００５６】
従って、被試験装置１の同軸ポート１１に接続される、雷サージ発生器６および対向装置７０をスイッチ７２で切り換えられる構成を用いることにより、雷サージ試験を行った後の被試験装置１の動作確認が円滑に行うことができる。また、スイッチ７３を備えることによって、雷サージ発生器との接続が切り離されるため、被試験装置１の動作確認を安全に行うことができる。
【００５７】
［他の実施形態］
この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００５８】
１・・・被試験装置、２，７・・・同軸ポート用回路、３・・・アナログ電話ポート用回路、４・・・Ｅｔｈｅｒｎｅｔポート用回路、５・・・電源ポート用回路、６・・・雷サージ発生器、１１・・・同軸ポート、１２・・・第１の同軸ケーブル、１３・・・アナログ電話ポート、１４・・・アナログ電話ケーブル、１５・・・Ｅｔｈｅｒｎｅｔポート、１６・・・Ｅｔｈｅｒｎｅｔケーブル、１６−１，１６−ｎ・・・芯線、１７・・・電源ポート、１８・・・電源ケーブル、１９・・・接地ポート、２０・・・接地線、２１・・・終端抵抗、３０，４０，７０・・・対向装置、３１，３２，５１，５２・・・結合回路、３３，５３・・・減結合回路、４１−１，４１−ｎ・・・抵抗器、５０・・・電源装置、６１・・・印加端子、６２，６３，６４，６５・・・帰路端子、７１・・・第２の同軸ケーブル、７２，７３・・・スイッチ。
【図１】
0006503319.tif 000002
【図２】
0006503319.tif 000003
【図３】
0006503319.tif 000004
【図４】
0006503319.tif 000005
【図５】
0006503319.tif 000006
【図６】
0006503319.tif 000007